【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
複数の光源用素子からの光を個々に集光する複数のレンズが集まっているレンズアレイであって、
前記複数のレンズは、それぞれ入射側に、前記複数の光源用素子の位置決め用とされる円柱部を有することを特徴とするレンズアレイ。
【請求項２】
前記円柱部は、各々その中心線を各レンズの光軸と一致させていることを特徴とする請求項１に記載のレンズアレイ。
【請求項３】
前記複数のレンズは、各レンズの円柱部の先端側周縁にテーパー面を有することを特徴とする請求項１又は請求項２に記載のレンズアレイ。
【請求項４】
複数の光源用素子と、
前記複数の光源用素子に対応する位置決め用の円柱部を入射面側に備えた複数のレンズを有するレンズアレイと、
前記複数の光源用素子と前記レンズアレイとの間に配置され、前記円柱部に嵌合するストレート状の第一の円柱面を内側面とする第一筒状部と前記光源用素子の外側面の一部と嵌合するストレート状の第二の円柱面を内側面とする第二筒状部とを有する複数の筒状ホルダと、
を備えることを特徴とする光源装置。
【請求項５】
前記レンズアレイは、各レンズの円柱部の先端側周縁にテーパー面を有することを特徴とする請求項４に記載の光源装置。
【請求項６】
前記筒状ホルダは、前記第一の円柱面及び／又は第二の円柱面の外方開口端部にテーパー面を有することを特徴とする請求項４又は請求項５に記載の光源装置。
【請求項７】
前記レンズアレイを前方側に保持するとともに、当該レンズアレイ後方の筒状ホルダを収納する穴部を備えたレンズアレイホルダをさらに備えることを特徴とする請求項４乃至請求項６の何れかに記載の光源装置。
【請求項８】
前記レンズアレイを前記レンズアレイホルダに押し付ける押え板をさらに備えることを特徴とする請求項７に記載の光源装置。
【請求項９】
前記筒状ホルダの第二筒状部の外径は前記第一筒状部の外径より大きく、
前記レンズアレイホルダは、後端側に前記第二筒状部の前面を押える押圧部を有して、当該押圧部は、前記筒状ホルダを前記光源用素子に当接するように押圧していることを特徴とする請求項７又は請求項８に記載の光源装置。
【請求項１０】
前記複数の光源用素子を前方に押圧するリアホルダをさらに備えることを特徴とする請求項４乃至請求項９の何れかに記載の光源装置。
【請求項１１】
前記光源用素子は、当該光源用素子の本体部の後端側にフランジ部を有し、
前記筒状ホルダは、後端側に前記フランジ部の前面を押える押圧部を有して、当該押圧部は、前記光源用素子を前記リアホルダに当接するように押圧していることを特徴とする請求項１０に記載の光源装置。
【請求項１２】
前記筒状ホルダの後端面と前記リアホルダの前面との間に間隙を有していることを特徴とする請求項１０又は請求項１１に記載の光源装置。
【請求項１３】
前記レンズアレイホルダの後端面と前記リアホルダの前面との間に間隙を有していることを特徴とする請求項１０乃至請求項１２の何れかに記載の光源装置。
【請求項１４】
請求項１乃至請求項１３の何れかに記載の光源装置と、
表示素子と、
前記光源装置からの光を前記表示素子に導光する光源側光学系と、
前記表示素子から射出された画像をスクリーンに投影する投影側光学系と、
前記光源装置と前記表示素子を制御するプロジェクタ制御手段と、を備えることを特徴とするプロジェクタ。
【請求項１５】
複数の光源用素子と、
前記複数の光源用素子に対応する位置決め用の円柱部を入射面側に備えた複数のレンズを有するレンズアレイと、
前記複数の光源用素子と前記レンズアレイとの間に配置され、前記円柱部に嵌合するストレート状の第一の円柱面を内側面とする第一筒状部と前記光源用素子の外側面の一部と嵌合するストレート状の第二の円柱面を内側面とする第二筒状部とを有する複数の筒状ホルダと、
穴部を有するとともに前方で前記レンズアレイを保持するレンズアレイホルダと、
前記光源用素子を後方から押圧するリアホルダと、
前記レンズアレイを前記レンズアレイホルダに押え付ける押え板と、
を有する光源装置の製造方法であって、
前記レンズアレイの周縁外方に前記レンズアレイホルダを配置して、前記押え板により前記レンズアレイを前記レンズアレイホルダに固定する工程と、
前記レンズアレイホルダの開口部に前記複数の筒状ホルダを配置して、当該筒状ホルダを前記レンズアレイの円柱部に嵌合させる工程と、
配置された前記複数の筒状ホルダ個々に前記複数の光源用素子を配置嵌合する工程と、
前記複数の光源用素子を前記複数の筒状ホルダに配置した後に、前記光源用素子のリード端子を挿通させるように前記リアホルダを配置する工程と、
を含むことを特徴とする光源装置の製造方法。
【請求項１６】
前記複数の光源用素子に前記リアホルダを配置した後に、前記光源用素子のリード端子にリード線又は基板を結線する工程をさらに含むことを特徴とする請求項１５に記載の光源装置の製造方法。
【手続補正２】
【補正対象書類名】明細書
【補正対象項目名】０００８
【補正方法】変更
【補正の内容】
【０００８】
本発明のレンズアレイは、複数の光源用素子からの光を個々に集光する複数のレンズが集まっているレンズアレイであって、前記複数のレンズは、それぞれ入射側に、前記複数の光源用素子の位置決め用とされる円柱部を有することを特徴とする。
【手続補正３】
【補正対象書類名】明細書
【補正対象項目名】０００９
【補正方法】変更
【補正の内容】
【０００９】
本発明の光源装置は、複数の光源用素子と、前記複数の光源用素子に対応する位置決め用の円柱部を入射面側に備えた複数のレンズを有するレンズアレイと、前記複数の光源用素子と前記レンズアレイとの間に配置され、前記円柱部に嵌合するストレート状の第一の円柱面を内側面とする第一筒状部と前記光源用素子の外側面の一部と嵌合するストレート状の第二の円柱面を内側面とする第二筒状部とを有する複数の筒状ホルダと、を備えることを特徴とする。
【手続補正４】
【補正対象書類名】明細書
【補正対象項目名】００１０
【補正方法】変更
【補正の内容】
【００１０】
本発明のプロジェクタは、上術の光源装置と、表示素子と、前記光源装置からの光を前記表示素子に導光する光源側光学系と、前記表示素子から射出された画像をスクリーンに投影する投影側光学系と、前記光源装置と前記表示素子を制御するプロジェクタ制御手段と、を備えることを特徴とする。
【手続補正５】
【補正対象書類名】明細書
【補正対象項目名】００１１
【補正方法】変更
【補正の内容】
【００１１】
本発明の光源装置の製造方法は、複数の光源用素子と、前記複数の光源用素子に対応する位置決め用の円柱部を入射面側に備えた複数のレンズを有するレンズアレイと、前記複数の光源用素子と前記レンズアレイとの間に配置され、前記円柱部に嵌合するストレート状の第一の円柱面を内側面とする第一筒状部と前記光源用素子の外側面の一部と嵌合するストレート状の第二の円柱面を内側面とする第二筒状部とを有する複数の筒状ホルダと、穴部を有するとともに前方で前記レンズアレイを保持するレンズアレイホルダと、前記光源用素子を後方から押圧するリアホルダと、前記レンズアレイを前記レンズアレイホルダに押え付ける押え板と、を有する光源装置の製造方法であって、前記レンズアレイの周縁外方に前記レンズアレイホルダを配置して、前記押え板により前記レンズアレイを前記レンズアレイホルダに固定する工程と、前記レンズアレイホルダの開口部に前記複数の筒状ホルダを配置して、当該筒状ホルダを前記レンズアレイの円柱部に嵌合させる工程と、配置された前記複数の筒状ホルダ個々に前記複数の光源用素子を配置嵌合する工程と、前記複数の光源用素子を前記複数の筒状ホルダに配置した後に、前記光源用素子のリード端子を挿通させるように前記リアホルダを配置する工程と、を含むことを特徴とする。